(57)【要約】  本発明は、電流切替のための制御装置及び電子装置を開示する。本発明の実施形態における電流切替のための制御装置は、ＵＳＢ  ＯＴＧインタフェースと、ＵＳＢインタフェースと、ＵＳＢ  ＯＴＧインタフェースとＵＳＢインタフェースの間に接続されるブースター電流制限回路とを含み、ブースター電流制限回路と、ＵＳＢ  ＯＴＧインタフェースと、ＵＳＢインタフェースは、その装置がある装置に電力を供給するためのラインを形成するとともに、ブースター電流制限回路に接続される計測制御部を含み、前記計測制御部は電流切替要求が受信された後、ブースター電流制限回路における電流制限回路の抵抗値を変更するように構成され、その結果、第一の装置は第二の装置に対応する電流を供給する。本発明の実施形態において開示される、電流切替のための制御装置及び電子装置は、電流切替のための制御装置の普遍性を向上させることができる。
2015505401.tif 000002
【特許請求の範囲】
【請求項１】
電流切替のための制御装置であって、
第一の装置に接続するように構成されるとともにＩＤ端子においてローレベルを有するＵＳＢ  ＯＴＧインタフェースと、
第二の装置に接続するように構成されるとともに前記ＩＤ端子においてハイレベルを有するＵＳＢインタフェースと、
前記ＵＳＢ  ＯＴＧインタフェースと前記ＵＳＢインタフェースの間に接続されたブースター電流制限回路であって、前記ブースター電流制限回路と、前記ＵＳＢ  ＯＴＧインタフェースと、前記ＵＳＢインタフェースは、前記第一の装置が前記第二の装置に電力を供給するためのラインを形成する、前記ブースター電流制限回路と、
前記ブースター電流制限回路に接続された計測制御部であって、前記計測制御部は電流切替要求が受信された場合に、前記ブースター電流制限回路における電流制限回路の抵抗値を変更するように構成され、その結果、前記第一の装置は前記第二の装置に対応する電流を供給する、前記計測制御部と
を有することを特徴とする電流切替のための制御装置。
【請求項２】
前記ブースター電流制限回路は昇圧回路と、抵抗器Ｒ１と、抵抗器Ｒ２とを含み、前記昇圧回路は前記抵抗器Ｒ１の第一の端部及び前記抵抗器Ｒ２の第一の端部にそれぞれ接続され、前記抵抗器Ｒ２の第二の端部は接地され、前記抵抗器Ｒ１の第二の端部はバスエクステンダのピンアウトＡに接続されていることを特徴とする請求項１に記載の装置。
【請求項３】
前記計測制御部は具体的に、前記第一の装置が前記第二の装置に第１の電流を供給するための要求を受信したときに、前記バスエクステンダの前記ピンアウトＡがハイレベルになるように制御するとともに、前記第一の装置が前記第二の装置に第２の電流を供給するための要求を受信したときは、前記バスエクステンダの前記ピンアウトＡがローレベルになるように制御するように構成されていることを特徴とする請求項２に記載の装置。
【請求項４】
前記計測制御部に接続され、物理キーが押下されたことを示す信号を受信した後、前記第一の装置が前記第二の装置に対応する電流を供給するための要求を生成するように構成された前記物理キーをさらに含むことを特徴とする請求項３に記載の装置。
【請求項５】
初期電流は前記第１の電流であるとともに、前記初期電流は、前記第一の装置が前記電流切替のための制御装置を使用して前記第二の装置に接続された後で、且つ前記計測制御部が電流切替要求を受信する前に、前記第一の装置によって前記第二の装置に供給される電流であることを特徴とする請求項３に記載の装置。
【請求項６】
前記計測制御部に接続され、前記電流切替のための制御装置の電力供給モードを表示するように構成された有機発光ダイオードディスプレイスクリーンをさらに含むことを特徴とする請求項１に記載の装置。
【請求項７】
電子装置であって、
充電回路及びブースター電流制限回路と、
前記充電回路と前記ブースター電流制限回路にそれぞれ接続されたエネルギー蓄積モジュールと、
第三の装置に接続するように構成されたＵＳＢ  ＯＴＧインタフェースと、
前記充電回路と前記ＵＳＢ  ＯＴＧインタフェースとの間に配置された第一制御スイッチであって、前記エネルギー蓄積モジュールと、前記充電回路と、前記第一制御スイッチと、前記ＵＳＢ  ＯＴＧインタフェース１０１とが、電子装置に電力を供給するための外部電源用のラインを形成する、前記第一制御スイッチと、
前記ＵＳＢ  ＯＴＧインタフェースと前記ブースター電流制限回路との間に配置された第二制御スイッチであって、前記エネルギー蓄積モジュールと、前記ブースター電流制限回路と、前記第二制御スイッチと、前記ＵＳＢ  ＯＴＧインタフェースとが、前記第三の装置に電力を供給するための電子装置用のラインを形成する、前記第二制御スイッチと、
前記第一制御スイッチの制御端部と前記第二制御スイッチの制御端部とのそれぞれに接続された計測制御部であって、前記計測制御部は前記ブースター電流制限回路に接続されるとともに、前記計測制御部は前記ＵＳＢ  ＯＴＧインタフェースのＩＤ端子がローレベルであるか否かを検出するように構成され、そうである場合は、前記第一制御スイッチをオフに、前記第二制御スイッチをオンに制御するとともに、電流切替要求を受信した後に、前記ブースター電流制限回路における電流制御回路の抵抗値を変更し、その結果、電子装置は前記第三の装置に対応する電流を供給し、そうでない場合は、前記第一制御スイッチをオンに、且つ前記第二制御スイッチをオフに制御する、前記計測制御部と
を有することを特徴とする電子装置。
【請求項８】
前記ブースター電流制限回路は昇圧回路と、抵抗器Ｒ５と、抵抗器Ｒ６と、抵抗器Ｒ７とを含み、前記昇圧回路は前記抵抗器Ｒ５の第一の端部と、前記抵抗器Ｒ６の第一の端部と、前記抵抗器Ｒ７の第一の端部とにそれぞれ接続され、前記抵抗器Ｒ５の第二の端部は接地され、前記抵抗器Ｒ６の第二の端部はバスエクステンダのピンアウトＡに接続されているとともに、前記抵抗器Ｒ７の第二の端部は前記バスエクステンダのピンアウトＢに接続されていることを特徴とする請求項７に記載の装置。
【請求項９】
前記計測制御部は具体的に、前記電子装置が前記第三の装置に第７の電流を供給するための要求を受信したときに、前記バスエクステンダの前記ピンアウトＡ及び前記ピンアウトＢがどちらもハイレベルになるように制御し、前記電子装置が前記第三の装置と通信を行う必要があると検出したときは、前記バスエクステンダの前記ピンアウトＡがローレベルになるとともに前記ピンアウトＢがハイレベルになるように制御するか、または前記ピンアウトＡがハイレベルになるとともに前記ピンアウトＢがローレベルになるように制御し、前記電子装置が前記第三の装置に第９の電流を供給するための要求を検出したときは、前記バスエクステンダの前記ピンアウトＡ及び前記ピンアウトＢのどちらもローレベルになるように制御するように構成されていることを特徴とする請求項８に記載の装置。
【請求項１０】
前記計測制御部に接続され、物理キーが押下されたことを示す信号を受信した後、前記電子装置が前記第三の装置に対応する電流を供給するための要求を生成するように構成された前記物理キーをさらに含むことを特徴とする請求項７に記載の装置。
【発明の詳細な説明】
【技術分野】
【０００１】
本出願は、２０１２年５月２８日に中国特許庁に出願され、発明の名称を「電流切替のための制御装置及び電子装置」とする、中国特許出願第201210168980.7の優先権を主張し、その全体が参照によって本明細書に組み込まれる。
【０００２】
本発明は電子技術及び電気技術の分野に関し、特に、電流切替のための制御装置および電子装置に関する。
【背景技術】
【０００３】
モバイル端末の普及に伴い、コンピュータを使用せずに電子装置間の直接のデータ交換を実装するという目的を達成するために、OTG（on-the-go）プロトコルが時勢の要求とともに出現した。この技術によって、二つの電子装置は直接通信することができるようになった。例えば、デジタルカメラは写真を即時に印刷するためにプリンタのUSBインタフェースに接続されてもよい。
【０００４】
ＯＴＧプロトコルをサポートする電子装置は、一般的に、ＵＳＢ  ＯＴＧインタフェースと、放電回路と、充電回路とを含む。放電回路は電子装置の外部装置（例えば、Ｗｉ−Ｆｉ、無線周波数等）に電力を供給してもよく、充電回路はＯＴＧプロトコルをサポートする電子装置自体を充電するために使用される。具体的には、電源が電子装置を充電するとき、電源は、充電回路によって電圧のステップダウンが実行された後、ＯＴＧプロトコルをサポートする電子装置に電力を供給する。
【０００５】
ＯＴＧプロトコルをサポートする電子装置は二つのタイプで利用可能である。電子装置の第一のタイプの放電回路は、コアTPS61240/FAN4860のような専用の出力チップを有するとともに、電子装置の第二のタイプの昇圧回路は、チップを使用して構成されるＢＯＯＳＴ昇圧回路である。
【発明の概要】
【発明が解決しようとする課題】
【０００６】
第一のタイプの電子装置と第二のタイプの電子装置が異なるチップを有し、二つのタイプの装置に異なる電力供給モードを持たせるため、本発明者は、従来技術におけるこれらの二つのタイプの装置は少なくとも以下の欠点を持つことを見い出した。すなわち、第一のタイプの装置によって電力を供給された電子装置は第二のタイプの電子装置によって電力を供給されることができない、という欠点である。
【０００７】
要約すると、従来技術におけるＯＴＧプロトコルをサポートする電子装置は、普遍性が貧弱であるという欠点を有するとともに、様々な電子製品の要求を満たすことができない。
【課題を解決するための手段】
【０００８】
この点を考慮して、本発明では、従来技術におけるＯＴＧプロトコルをサポートする電子装置の貧弱な普遍性という問題に対処するために、電流切替のための制御装置及び電子装置を提供する。
【０００９】
上記の目的を達成するために、本発明は、以下の技術的解決策を提供する。
【００１０】
前記電流切替のための制御装置は、
第一の装置に接続するように構成されるとともにＩＤ端子においてローレベルを有するＵＳＢ  ＯＴＧインタフェースと、
第二の装置に接続するように構成されるとともにＩＤ端子においてハイレベルを有するＵＳＢインタフェースと、
ＵＳＢ  ＯＴＧインタフェースとＵＳＢインタフェースの間に接続されたブースター電流制限回路であって、該ブースター電流制限回路と、ＵＳＢ  ＯＴＧインタフェースと、ＵＳＢインタフェースは、第一の装置が第二の装置に電力を供給するためのラインを形成する、ブースター電流制限回路と、
ブースター電流制限回路に接続された計測制御部であって、該計測制御部は電流切替要求が受信された場合に、ブースター電流制限回路における電流制限回路の抵抗値を変更するように構成され、その結果、第一の装置は第二の装置に対応する電流を供給する、計測制御部と
を有する。
【００１１】
前記電子装置は、
充電回路及びブースター電流制限回路と、
充電回路とブースター電流制限回路にそれぞれ接続されたエネルギー蓄積モジュールと、
第三の装置に接続するように構成されたＵＳＢ  ＯＴＧインタフェースと、
充電回路とＵＳＢ  ＯＴＧインタフェースとの間に配置された第一制御スイッチであって、エネルギー蓄積モジュールと、充電回路と、第一制御スイッチと、ＵＳＢ  ＯＴＧインタフェース１０１とが、電子装置に電力を供給するための外部電源用のラインを形成する、第一制御スイッチと、
ＵＳＢ  ＯＴＧインタフェースとブースター電流制限回路との間に配置された第二制御スイッチであって、エネルギー蓄積モジュールと、ブースター電流制限回路と、第二制御スイッチと、ＵＳＢ  ＯＴＧインタフェースとが、第三の装置に電力を供給するための電子装置用のラインを形成する、第二制御スイッチと、
第一制御スイッチの制御端部と第二制御スイッチの制御端部とのそれぞれに接続された計測制御部であって、該計測制御部はブースター電流制限回路に接続されているとともに、計測制御部はＵＳＢ  ＯＴＧインタフェースのＩＤ端子がローレベルであるか否かを検出するように構成され、そうである場合は、第一制御スイッチをオフに、第二制御スイッチをオンに制御するとともに、電流切替要求を受信した後に、ブースター電流制限回路における電流制御回路の抵抗値を変更し、その結果、電子装置は第三の装置に対応する電流を供給し、そうでない場合は、第一制御スイッチをオンに、且つ第二制御スイッチをオフに制御する、計測制御部と
を有する。
【００１２】
前述の技術的解決策から、本発明の態様において開示されている電流切替のための制御装置が使用されるとき、ブースター電流制限回路と、ＵＳＢ  ＯＴＧインタフェースと、ＵＳＢインタフェースとが、第一の装置が第二の装置に電力を供給するためのラインを形成するとともに、計測制御回路が、電流切替要求を受信した後、ブースター電流制限回路の電流制限抵抗値を変更し、それによって電流切替のための制御装置を使用して、第一の装置によって第二の装置に複数の電流を供給するという目的を達成し得るということがわかる。換言すると、電流切替のための制御装置は異なる電流値の下で動作する電子装置に接続されてもよく、それによって電流切替のための制御装置の普遍性を向上させる。
【図面の簡単な説明】
【００１３】
本発明の態様における技術的解決策をより明確に説明するために、以下では本発明の態様を説明するために必要となる添付図面を簡潔に紹介する。以下の説明における添付図面は単に本発明のいくつかの態様を示すものであって、当業者は創作的な努力なくして、これらの添付図面から他の図面を導き出すことができることは明らかである。
【００１４】
【図１】本発明の実施形態に係る電流切替のための制御装置の第一のタイプの概略構成図である。
【図２】本発明の実施形態に係るブースター電流制限回路の回路図である。
【図３】本発明の実施形態に係る電流切替のための制御装置の第二のタイプの概略構成図である。
【発明を実施するための形態】
【００１５】
以下では、本発明の実施形態における添付図面を参照して、本発明の実施形態における技術的解決策を明瞭にかつ十分に説明する。説明される実施形態は本発明の実施形態のすべてではなく単なる一部分であることは明らかである。創作的な努力なくして本発明の実施形態に基づいて当業者によって得られる他のすべての実施形態は、本発明の保護範囲に含まれるべきである。
【００１６】
従来技術において、二つの非コンピュータ装置（二つの非コンピュータ装置はいずれもＯＴＧプロトコルをサポートしている）が接続されているとき、例えば、デジタルカメラとプリンタが接続されているとき、デジタルカメラとプリンタが接続される前に、プリンタとデジタルカメラのどちらのＵＳＢインタフェースもスレーブデバイスモードになるように構成されている。プリンタのＵＳＢインタフェースがＯＴＧプロトコルをサポートするケーブルのＵＳＢ  ＯＴＧポートに接続され、且つ、デジタルカメラのＵＳＢインタフェースがケーブルの一般的なＵＳＢインタフェース（非ＵＳＢ  ＯＴＧ  インタフェース）に接続されているとすれば、プリンタはケーブルのＵＳＢ  ＯＴＧポートのＩＤ端子がローレベルか否かを検出する。ＩＤ端子がローレベルである場合、プリンタはスレーブデバイスモードからマスタデバイスモードに切り替わる。一方で、プリンタはデジタルカメラへの電力の供給を開始する。この場合、デジタルカメラは、スレーブデバイスモードである。プリンタとデジタルカメラの電力供給ラインが確立された後、デジタルカメラとプリンタのマスタモードとスレーブモードは切り替えられることができる。デジタルカメラがプリンタにデータを転送する必要がある場合、デジタルカメラはスレーブデバイスモードからマスタデバイスモードに切り替わる。これに対応して、プリンタは、マスタデバイスモードからスレーブデバイスモードに切り替わる。しかしながら、電力供給は、常に、プリンタからデジタルカメラに対して行われる。デジタルカメラがプリンタに電力を供給する必要がある場合は、デジタルカメラのＵＳＢ  ＯＴＧインタフェースがケーブルのＵＳＢ  ＯＴＧポートに接続される必要があり、且つ、プリンタはケーブルの一般的なＵＳＢインタフェースに接続される必要がある。ケーブルのＵＳＢ  ＯＴＧインタフェースに接続されている装置のみが電力を供給する側として使用されることができるため、電力を供給する必要がある装置はケーブルのＵＳＢ  ＯＴＧインタフェースに接続される必要がある。プリンタが、ＵＳＢ  ＯＴＧインタフェースのＩＤ端子がハイレベルであることを検出した場合には、プリンタはケーブルを使用してコンピュータに接続するスレーブデバイスとしてのみ使用されることができ、ケーブルを使用して別の装置に電力を供給することはできない。
【００１７】
ＯＴＧをサポートする装置による、同等の装置への電力供給は放電回路を使用して実装される。放電回路はブースター電流制限回路を含み、ブースター電流制限回路は昇圧回路及び電流制限回路を含み、昇圧回路は電子装置自体のバッテリー電圧（3.4vから4.2v）を5vまで上昇させるとともに、電流制限回路は、電子装置の均等出力抵抗回路であって、且つ電子装置による電流の出力を特定の範囲内になるように制限するために使用される。従来技術においては、ＯＴＧ  プロトコルをサポートする装置における電流制限回路の抵抗値が一定であるため、ＯＴＧ  プロトコルをサポートする装置は一つの電流のみを供給することができる。
【実施例１】
【００１８】
図１は、本発明の実施例１において開示されている電流切替のための第一の制御装置の概略構成図である。図１を参照すると、前記電流切替のための制御装置はＵＳＢ  ＯＴＧインタフェース１０１と、ＵＳＢインタフェース１０２と、ブースター電流制限回路１０３と、計測制御部１０４と、を含む。
【００１９】
接続関係は以下のようになっている。
【００２０】
前記ＵＳＢ  ＯＴＧインタフェース１０１は第一の装置に接続され、ＵＳＢ  ＯＴＧインタフェース１０１のＩＤ端子はローレベルである。ＵＳＢインタフェース１０２（非ＵＳＢ  ＯＴＧインタフェース）は第二の装置に接続され、ＵＳＢインタフェース１０２のＩＤ端子はハイレベルである。ブースター電流制限回路１０３はＵＳＢ  ＯＴＧインタフェース１０１とＵＳＢインタフェース１０２の間に接続され、ブースター電流制限回路１０３と、ＵＳＢ  ＯＴＧインタフェース１０１と、ＵＳＢインタフェース１０２は第一の装置が第二の装置に電力を供給するためのラインを形成している。計測制御部１０４は、ブースター電流制限回路１０３に接続されている。
【００２１】
ユニバーサルＵＳＢインタフェース（ＵＳＢ  ＯＴＧインタフェース１０１及びＵＳＢインタフェース１０２を含む）は、Ｖｂｕｓ端子と、Ｄ−端子と、Ｄ＋端子と、ＧＮＤ端子と、ＩＤ端子と、を有する。
【００２２】
具体的な接続関係は以下のようになっている。ブースター電流制限回路１０３の昇圧回路はＵＳＢ  ＯＴＧインタフェース１０１のＶｂｕｓ端子とＵＳＢインタフェース１０２のＶｂｕｓ端子のそれぞれに接続されている。計測制御部１０４はＵＳＢ  ＯＴＧインタフェース１０１のＩＤ端子とＵＳＢインタフェース１０２のＩＤ端子のそれぞれに接続され、計測制御部１０４はＵＳＢ  ＯＴＧインタフェース１０１のＩＤ端子のレベルがローレベルになるように制御するとともに、ＵＳＢインタフェース１０２のＩＤ端子のレベルがハイレベルになるように制御する。また、ＵＳＢ  ＯＴＧインタフェース１０１のＩＤ端子及びＵＳＢインタフェース１０２のＩＤ端子は計測制御部１０４に接続されていなくてもよいことはもちろんである。ＵＳＢ  ＯＴＧインタフェース１０１におけるＩＤ端子が接地されているとともに、ＵＳＢインタフェース１０２のＩＤ端子がフローティングされていて、また、それによって、ＵＳＢ  ＯＴＧインタフェース１０１のＩＤ端子のレベルはローレベルであって、且つＵＳＢインタフェース１０２のＩＤ端子のレベルがハイレベルであるという目的を達成することができる。
【００２３】
前記第一の装置は電流切替のための制御装置のＵＳＢ  ＯＴＧインタフェース１０１に接続されているため、第一の装置は第二の装置に電力を供給する。その点で、第一の装置にはブースター電流制限回路がないため、第一の装置によってＵＳＢ  ＯＴＧインタフェース１０１のＶｂｕｓ端子に供給される電流の値は予め設定された電流の値よりも小さい。従って、第一の装置と第二の装置は電流切替のための制御装置を使用して通信を行うことはできず、予め設定された電流の値は、電流切替のための制御装置を使用して、第一の装置が第二の装置と通信を行うために、ＵＳＢ  ＯＴＧインタフェース１０１のＶｂｕｓ端子に供給された電流の最小値を参照する。
【００２４】
前記第一の装置と第二の装置は電流切替のための制御装置を使用して通信を行うことはできないため、ＵＳＢ  ＯＴＧインタフェース１０１のＤ−端子と、ＵＳＢインタフェース１０２のＤ−端子と、ＵＳＢ  ＯＴＧインタフェース１０１のＤ＋端子と、ＵＳＢインタフェース１０２のＤ＋端子は、フローティングされるか、またはＵＳＢ  ＯＴＧインタフェース１０１のＤ−端子はＵＳＢインタフェース１０２のＤ−端子に接続されるとともに、ＵＳＢ  ＯＴＧインタフェース１０１のＤ＋端子はＵＳＢインタフェース１０２のＤ＋端子に接続される。
【００２５】
前記計測制御部１０４は同様の機能を持つ回路または同様の機能を持つチップであってもよい。
【００２６】
前記計測制御部１０４の動作プロセスは以下のようになっている。
【００２７】
前記計測制御部１０４は電流切替要求が受信された場合に、ブースター電流制限回路１０３における電流制限回路の抵抗値を変更するように構成されていて、その結果、第一の装置は第二の装置に対応する電流を供給する。
【００２８】
具体的には、計測制御部１０４は、バスエクステンダを使用して、ブースター電流制限回路１０３における電流制限回路に接続されているとともに、計測制御部１０４は、バスエクステンダの端子状態を制御することによってブースター電流制限回路１０３における電流制限回路の抵抗値を変更することができる。
【００２９】
また、もちろん、計測制御部１０４は、汎用入力／出力インタフェースＧＰＩＯを使用して、ブースター電流制限回路１０３における電流制限回路に接続されてもよいとともに、計測制御部１０４は、汎用入力／出力インタフェースＧＰＩＯの端子状態を制御することによってブースター電流制限回路１０３における電流制限回路の抵抗値を変更してもよい。
【００３０】
以下では、バスエクステンダと、汎用入力／出力インタフェースＧＰＩＯと、同様の機能を持つ装置を総称して多目的インタフェースと呼ぶこととする。
【００３１】
本発明の実施例におけるブースター電流制限回路１０３は、複数の特定の実装方法があり得る。例えば、ブースター電流制限回路１０３は昇圧回路と、抵抗器Ｒ１と、抵抗器Ｒ２を含んでもよく、昇圧回路は抵抗器Ｒ１の第一の端部と抵抗器Ｒ２の第一の端部にそれぞれ接続され、抵抗器Ｒ２の第二の端部は接地されるとともに、抵抗器Ｒ１の第二の端部は多目的インタフェースのピンアウトＡに接続されている。抵抗器Ｒ１と抵抗器Ｒ２は電流制限回路を形成する。
【００３２】
上述のブースター電流制限回路１０３の構造に基づいて、計測制御部１０４が、多目的インタフェースの端子状態を制御することによってブースター電流制限回路１０３における電流制限回路の抵抗値を変更するプロセスは以下のようになる。
【００３３】
前記計測制御部１０４が、第一の装置が第二の装置に第１の電流を供給するように要求を受信するとき、計測制御部１０４は多目的インタフェースのピンアウトＡがハイレベルになるように制御するとともに、第一の装置が第二の装置に第２の電流を供給するように要求を受信するときは、多目的インタフェースのピンアウトＡがローレベルになるように制御する。
【００３４】
前記多目的インタフェースのピンアウトＡがローレベルのとき、抵抗器Ｒ１及び抵抗器Ｒ２は、並行にあるとともに、ブースター電流制限回路１０３の電流制限回路の抵抗値は小さくなる。この場合、第一の装置は、第二の装置に多量の電流、すなわち第２の電流を供給する。多目的インタフェースのピンアウトＡがハイレベルのとき、抵抗器Ｒ１はブースター電流制限回路１０３の電流制限回路に接続されていない。この場合、ブースター電流制限回路１０３の抵抗値は大きくなり、その結果、第一の装置は第二の装置に少量の電流、すなわち、第１の電流を供給する。
【００３５】
実際の応用においては、電流切替のための制御装置を使用して第一の装置が第二の装置に接続された後で、且つ電流切替コマンドが受信される前に、第一の装置は第二の装置に電力の供給を開始している。第一の装置によって第二の装置に供給される電流はこの場合、初期電流と呼ばれる。初期電流が第二の装置の最大定格電流よりも小さくなることを確実にするために、好ましくは、電流切替のための制御装置を使用して、第一の装置から第二の装置に供給される初期電流は、第１の電流である。つまり、計測制御部１０４は多目的インタフェースのピンアウトＡがハイレベルになるように制御する。それゆえに、電流切替のための制御装置を使用して、第一の装置から第二の装置に供給される電流は小さく、すなわち第１の電流である。第１の電流が第二の装置の要求を満たすことができない場合、電流切替のための制御装置は電流切替要求に応じて電流切替を行う。
【００３６】
電流切替要求は要求に応じて、手動で決定される。具体的なプロセスは以下のようになる。
【００３７】
前記電流切替のための制御装置は、物理キーを含んでもよく、物理キーは、計測制御部１０４に接続されるとともに、計測制御部１０４は、物理キーが押下されたことを示す信号を受信した後、ブースター電流制限回路１０３における電流制限回路の抵抗値を変更し、その結果、第一の装置は第二の装置に対応する電流を供給する。
【００３８】
具体的には、計測制御部１０４は、物理キーが予め設定された時間内に押下された回数を検出する。１回の場合は、第一の装置が第二の装置に第１の電流を供給するために、計測制御部１０４はブースター電流制限回路１０３の電流制限回路の抵抗値を制御し、２回の場合は、第一の装置が第二の装置に第２の電流を供給するために、計測制御部１０４はブースター電流制限回路１０３の電流制限回路の抵抗値を制御する。
【００３９】
前記第一の装置が、電流切替のための制御装置を使用して、第二の装置にＮ個の電流を供給できる場合、且つ物理キーが予め設定された時間内にＮ回押下された場合、計測制御部１０４は、ブースター電流制限回路１０３における電流制限回路の抵抗値を制御し、その結果、第一の装置は第二の装置に、第Ｎの電流を供給する。ここで、Ｎは２以上の正の整数である。
【００４０】
前記電流切替のための制御装置の内側に配置されるとともに、電流切替要求を生成することができるのは、必ずしも物理キーではなくトグルスイッチであってもよく、トグルスイッチは計測制御部１０４に接続される。計測制御部１０４は、トグルスイッチの位置が上から下へまたは左から右へ変化したことを示す信号を受信した後、ブースター電流制限回路１０３の抵抗値を制御し、その結果、第一の装置は第二の装置に対応する電流を供給する。
【００４１】
具体的には、トグルスイッチが上から下へ位置を変更したとき、計測制御部１０４は第一の装置が第二の装置へ第１の電流を供給するための要求を生成する。トグルスイッチが上から下へ位置を変更した後、計測制御部１０４は多目的インタフェースのピンアウトＡがハイレベルになるように制御する。この場合、ブースター電流制限回路１０３の抵抗値が大きくなるため、第一の装置は少量の電流、すなわち、第１の電流を第二の装置へ供給する。トグルスイッチが左から右へ位置を変更した後、計測制御部１０４は、第一の装置が第二の装置へ第２の電流を供給するためのコマンドを生成する。この場合、計測制御部１０４は、多目的インタフェースのピンアウトＡがローレベルになるように制御する。この場合、ブースター電流制限回路１０３の抵抗値が小さくなるため、第一の装置は多量の電流、すなわち、第２の電流を第二の装置へ供給する。好ましくは、第２の電流は、第二の装置が正常に動作することを可能にし、第二の装置内のバッテリを充電することができる。
【００４２】
前記電流切替のための制御装置はさらにタッチスクリーンを含んでもよく、タッチスクリーンは計測制御部１０４に接続されている。タッチスクリーンは、ユーザが選択できる複数の選択肢を持ち（例えば、第１の電流を第一の装置によって第二の装置に供給する）、異なる選択が異なるコマンドをトリガーするとともに、計測制御部１０４は対応するコマンドに従って対応する動作を実行することができる。
【００４３】
上述の実施例において、第一の装置は、電流切替のための制御装置を使用して、第二の装置に二つの電流を供給することができる。第一の装置が、電流切替のための制御装置を使用して、３個以上の電流を第二の装置に供給することを要求される場合、必要とされることはブースター電流制限回路１０３における電流制限回路を修正することだけである。
【００４４】
例えば、第一の装置が電流切替のための制御装置を使用して、３個の電流を第二の装置に供給することができる場合には、図２で示されるように、ブースター電流制限回路１０３は昇圧回路１０３１と、抵抗器Ｒ５と、抵抗器Ｒ６と、抵抗器Ｒ７とを含んでもよく、昇圧回路１０３１は、抵抗器Ｒ５の第一の端部と、抵抗器Ｒ６の第一の端部と、抵抗器Ｒ７の第一の端部のそれぞれに接続され、抵抗器Ｒ５の第二の端部は接地され、抵抗器Ｒ６の第二の端部は多目的インタフェースのピンアウトＡに接続され、抵抗器Ｒ７の第二の端部は多目的インタフェースのピンアウトＢに接続されている。この場合、第一の装置は、電流切替のための制御装置を使用して、第二の装置に異なる三つの電流を供給することができる。具体的には、第二の装置が少量の電流を必要とするとき、計測制御部１０４は多目的インタフェースのピンアウトＡとピンアウトＢがどちらもハイレベルになるように制御する。第二の装置が中位の電流を必要とするとき、計測制御部１０４は多目的インタフェースのピンアウトＡをローレベルになるように制御するとともに、ピンアウトＢがハイレベルになるように制御する。または計測制御部１０４は多目的インタフェースのピンアウトＡがハイレベルになるように制御するとともに、ピンアウトＢがローレベルになるように制御する。第二の装置が多量の電流を必要とするときは、計測制御部１０４は、多目的インタフェースのピンアウトＡ及びピンアウトＢのどちらもローレベルになるように制御する。抵抗器Ｒ５と、抵抗器Ｒ６と、抵抗器Ｒ７は電流制限回路を形成する。
【００４５】
前記第一の装置は電流切替のための制御装置を使用して、ブースター電流制限回路１０３における電流制限回路を形成する抵抗器の数と同じ数の電流を第二の装置に供給することができ、このことは、本発明の実装には影響を与えない。したがって、ブースター電流制限回路１０３における電流制限回路の構成に具体的な制限は設定されていない。
【００４６】
前記電流切替のための制御装置はさらに有機発光ダイオードディスプレイスクリーンを含んでもよく、有機発光ダイオードディスプレイスクリーンは、計測制御部１０４に接続されているとともに、電流切替のための制御装置の電力供給モードを表示するように構成されている。
【００４７】
具体的には、計測制御部１０４は、第一の装置が第二の装置に第１の電流を供給するための要求を受信した後、有機発光ダイオードディスプレイスクリーンが「第一電力供給モード」と表示するように制御する。計測制御部１０４が、第一の装置が第二の装置に電力を供給するための要求を受信しない場合、計測制御部１０４は有機発光ダイオードディスプレイスクリーンが「第二電力供給モード」と表示するように制御する。第一の装置が電流切替のための制御装置を使用して、第二の装置にＮ個の電流を供給できる場合は、電流切替のための制御装置の電力供給モードはＮ個の電力供給モードがある。ここで、Ｎは２以上の正の整数である。
【００４８】
本発明の実施例において開示されている電流切替のための制御装置が使用されるとき、ブースター電流制限回路１０３と、ＵＳＢ  ＯＴＧインタフェース１０１と、ＵＳＢインタフェース１０２は、第一の装置が第二の装置に電力を供給するためのラインを形成するとともに、計測制御回路１０４は電流切替要求を受信した後、ブースター電流制限回路１０３における電流制御回路の抵抗値を変更し、電流切替のための制御装置を使用して、第一の装置によって第二の装置に複数の電流を供給するという目的を達成する。換言すると、第一の装置は、電流切替のための制御装置を使用して、異なる電流値の下で動作する電子装置に接続されてもよく、それによって電子装置の普遍性を向上させる。
【実施例２】
【００４９】
図３は、本発明の実施例によって提供される電子装置の概略構成図である。図３を参照すると、前記電子装置は（前記電子装置を他の電子装置から区別するために、前記電子装置を電子装置Ａと呼ぶこととする）、ＵＳＢ  ＯＴＧインタフェース１０１と、ブースター電流制限回路１０３と、計測制御部１０４と、充電回路３０１と、第一制御スイッチ３０２と、第二制御スイッチ３０３と、エネルギー蓄積モジュール３０４と、を有する。
【００５０】
接続関係は以下のようになっている。
【００５１】
前記ＵＳＢ  ＯＴＧインタフェース１０１は、第三の装置に接続されている。計測制御部１０４は、ＵＳＢ  ＯＴＧインタフェース１０１及びブースター電流制限回路１０３にそれぞれ接続されている。第一制御スイッチ３０２は充電回路３０１とＵＳＢ  ＯＴＧインタフェース１０１との間に配置されている。充電回路３０１はエネルギー蓄積モジュール３０４に接続されている。エネルギー蓄積モジュール３０４と、充電回路３０１と、第一制御スイッチ３０２と、ＵＳＢ  ＯＴＧインタフェース１０１は、電子装置Ａに電力を供給する外部電源のためのラインを形成する。第二制御スイッチ３０３はブースター電流制限回路１０３とＵＳＢ  ＯＴＧインタフェース１０１との間に配置されているとともに、ブースター電流制限回路１０３はエネルギー蓄積モジュール３０４に接続されている。エネルギー蓄積モジュール３０４と、ブースター電流制限回路１０３と、第二制御スイッチ３０３と、ＵＳＢ  ＯＴＧインタフェース１０１は、電子装置Ａが第三の装置へ電力を供給するためのラインを形成する。計測制御部１０４は、第一制御スイッチ３０２の制御端部と第二制御スイッチ３０３の制御端部にそれぞれ接続されている。
【００５２】
前記エネルギー蓄積モジュール３０４は電池であってもよい。
【００５３】
前記ＵＳＢ  ＯＴＧインタフェース１０１の端子とそれぞれの回路との接続関係は、具体的には以下のようになっている。ＵＳＢ  ＯＴＧインタフェース１０１のＶｂｕｓ端子は第一制御スイッチ３０２の一端部と第二制御スイッチ３０３の一端部にそれぞれ接続されている。ＵＳＢ  ＯＴＧインタフェース１０１のＩＤ端子は計測制御部１０４に接続されている。ＵＳＢ  ＯＴＧインタフェース１０１のＤ＋端子とＤ−端子は電子装置ＡにおけるＵＳＢのエニュメレーションモジュールに接続されている。
【００５４】
前記計測制御部１０４の動作プロセスは以下のようになっている。
【００５５】
前記計測制御部１０４は、ＵＳＢ  ＯＴＧインタフェース１０１のＩＤ端子がローレベルか否かを検出するように構成されている。そうである場合は、第一制御スイッチ３０２はオフに、且つ第二制御スイッチ３０３はオンになるように制御するとともに、そうでない場合は、第一制御スイッチ３０２をオンに、且つ第二制御スイッチ３０３をオフになるように制御する。
【００５６】
前記ＵＳＢ  ＯＴＧインタフェース１０１のＩＤ端子がローレベルであれば、電子装置Ａはスレーブデバイスモードからマスタデバイスモードへ切り替えるとともに、ブースター電流制限回路１０３を使用して、エネルギー蓄積モジュール３０４における電子エネルギーを第三の装置に供給する。すなわち、電子装置Ａは第三の電子装置へ電流を供給する。第三の装置へ電力を供給するプロセスにおいて、計測制御部１０４が電流切替要求を受信するとき、計測制御部１０４はブースター電流制限回路１０３における電流制限回路の抵抗値を変更し、その結果、電子装置Ａは第三の装置へ対応する電流を供給する。計測制御部１０４がＵＳＢ  ＯＴＧインタフェース１０１のＩＤ端子がハイレベルであることを検出する場合、電子装置Ａはコンピュータから情報をダウンロードするための、またはコンピュータにその情報を転送するためのコンピュータ機能を有する装置にのみ接続されることができる。電子装置Ａがコンピュータに接続された後、そのコンピュータのみが電子装置Ａに電流を供給できるとともに、電子装置Ａは常にスレーブデバイスモードになっている。電子装置Ａは外部装置に電力を供給する必要がないため、第二制御スイッチ３０３はオフになるとともに、コンピュータは電子装置Ａに電流を供給し、且つ電子装置Ａにおけるエネルギー蓄積モジュール３０４を充電するため、第一制御スイッチ３０２はオンになる。
【００５７】
本実施例２と実施例１との違いは、本発明の本実施例２における電子装置Ａはブースター電流制限回路１０３を有するため、ＵＳＢ  ＯＴＧインタフェース１０１のＶｂｕｓ端子に供給される電流の値は、予め設定された電流の値に到達する可能性があり、それによって電子装置Ａが第三の装置と通信できるように条件を満たし、その結果、電子装置Ａと第三の装置は通信ができる、ということにある。
【００５８】
前記ブースター電流制限回路１０３は昇圧回路と、抵抗器Ｒ１と、抵抗器Ｒ２と、を含んでもよく、昇圧回路は抵抗器Ｒ１の第一の端部と抵抗器Ｒ２の第一の端部とにそれぞれ接続され、抵抗器Ｒ２の第二の端部は接地されるとともに、抵抗器Ｒ１の第二の端部は多目的インタフェースのピンアウトＡに接続されている。抵抗器Ｒ１と抵抗器Ｒ２は電流制限回路を形成する。
【００５９】
前記ブースター電流制限回路１０３の構造に基づいて、多目的インタフェースの端子状態を制御することによって、ブースター電流制限回路１０３の抵抗値を変更するプロセスは以下のようになっている。
【００６０】
前記電子装置Ａが第三の装置に接続された後、計測制御部１０４は多目的インタフェースのピンアウトＡをハイレベルになるように制御し、その結果、電子装置Ａは第三の装置に第４の電流を供給する。電子装置Ａが第三の装置と通信を行う必要があることが検出された場合、計測制御部１０４は多目的インタフェースのピンアウトＡをローレベルになるように制御し、その結果、電子装置Ａは第三の装置に第５の電流を供給する。
【００６１】
前記多目的インタフェースのピンアウトＡがローレベルのとき、抵抗器Ｒ１と抵抗器Ｒ２は並列にあるとともに、ブースター電流制限回路１０３の電流制限回路の抵抗値は小さくなる。この場合、電子装置Ａは、第三の装置に多量の電流、すなわち第５の電流を供給する。多目的インタフェースのピンアウトＡがハイレベルのとき、抵抗器Ｒ１はブースター電流制限回路１０３の電流制限回路に接続されていない。この場合、ブースター電流制限回路１０３の抵抗値は大きくなり、その結果、第一の装置は少量の電流、すなわち第４の電流を第二の装置に供給する。
【００６２】
前記電子装置Ａは、ＵＳＢのエニュメレーション法を使用して、第三の装置が電子装置Ａと通信する必要があるか否かを検出可能であり、その動作は手動でトリガーされる必要はないため、第４の電流から第５の電流に切り替えるプロセスは、人間の介在を必要としない。具体的には、電子装置ＡにおけるＵＳＢのエニュメレーションモジュールは、電子装置Ａが第三の装置と通信する必要があるか否かを決定するために、ＵＳＢ  ＯＴＧインタフェース１０１のＤ＋端子及びＤ−端子を検出してもよい。これは、従来技術に属し、本明細書には記載されていない。
【００６３】
実際の応用においては、電子装置Ａが第三の装置に接続された後で、且つ電流切替コマンドが受信される前に、電子装置Ａは第三の装置に電力の供給を開始している。電子装置Ａによって第三の装置に供給される電流はこの場合、初期電流と呼ばれる。初期電流が第三の装置の最大定格電流よりも小さくなることを確実にするために、好ましくは、電子装置Ａによって第二の装置に供給される初期電流は、第４の電流となる。つまり、電子装置Ａのデフォルトの初期電流は第４の電流である。すなわち、計測制御部１０４は多目的インタフェースのピンアウトＡがハイレベルになるように制御する。
【００６４】
上述の実施例における電子装置Ａは第三の装置に二つの電流を供給することができる。電子装置Ａが３個以上の電流を第三の装置へ供給することを要求される場合、必要とされることはブースター電流制限回路１０３における電流制限回路を修正することだけである。
【００６５】
電子装置が三つの電流を第三の装置に供給することができる例において、ブースター電流制限回路１０３はさらに、昇圧回路と、抵抗器Ｒ５と、抵抗器Ｒ６と、抵抗器Ｒ７とを含み、昇圧回路は抵抗器Ｒ５の第一の端部と、抵抗器Ｒ６の第一の端部と、抵抗器Ｒ７の第一の端部とにそれぞれ接続され、抵抗器Ｒ５の第二の端部は接地され、抵抗器Ｒ６の第二の端部は多目的インタフェースのピンアウトＡに接続され、抵抗器Ｒ７の第二の端部は多目的インタフェースのピンアウトＢに接続されている。
【００６６】
前記電子装置Ａが第三の装置に接続された後で、且つ電子装置Ａが電流切替コマンドを受信する前に、電子装置Ａは第三の装置に電流の供給を開始している。電子装置Ａによって供給される初期電流が第三の装置の最大定格電流よりも小さくなることを確実にするために、電子装置Ａによって第三の装置に供給される初期電流は、第７の電流である。すなわち、計測制御部１０４は多目的インタフェースのピンアウトＡ及びピンアウトＢのどちらもハイレベルになるように制御する。電子装置Ａが第三の装置と通信する必要がある場合、電子装置Ａ内の計測制御部１０４は、自動的に、バスエクステンダのピンアウトＡがローレベルになるように、且つピンアウトＢがハイレベルになるように制御し、またはピンアウトＡがハイレベルになるように、且つピンアウトＢがローレベルになるように制御する。従って、電子装置Ａは多量の電流、すなわち、第８の電流を第三の装置に供給する。電子装置は第三の装置と通信する必要はなく、且つ第７の電流が第三の装置の要求を満たすことができないとき、電子装置Ａが第三の装置に第９の電流を供給するために、手動の選択が行われる。計測制御部１０４は、第三の装置に第９の電流を供給するための要求を受信した後、多目的インタフェースのピンアウトＡ及びピンアウトＢのどちらもローレベルになるように制御する。もちろん、異なる実際の要求に応じて、電子装置Ａによって第三の装置に供給される初期電流はまた、第９の電流であってもよい。
【００６７】
電流切替要求は要求に応じて手動で決定され、具体的には実施例１における電流切替要求の生成のための方法と同じであり、ここでは繰り返し説明はしない。
【００６８】
本発明の実施例において、ブースター電流制限回路１０３と、ＵＳＢ  ＯＴＧインタフェース１０１と、ブースター電流制限回路１０３と、エネルギー蓄積モジュール３０４は、電子装置Ａが第三の装置に電力を供給するためのラインを形成するとともに、計測制御回路１０４は、電流切替要求を受信した後、ブースター電流制限回路１０３における電流制限回路の抵抗値を変更し、電子装置Ａが第三の装置に複数の電流を供給するという目的を達成する。換言すると、電子装置Ａは異なる電流値の下で動作する電子装置に接続されてもよく、それによって電子装置Ａの普遍性を向上させる。
【００６９】
本明細書における各実施例は、進歩的な方法において記載されている。各実施例における説明の焦点は、別の実施例との相違点である。実施例の同一または類似の部分については、相互に参照をしてもよい。実施例において開示された装置は、該装置が実施例において開示されている方法に対応するため、簡単に説明されている。関連する部分については、方法の説明を参照してもよい。
【００７０】
本明細書において、第一及び第二などの関係語は、単にあるエンティティ（entity）及び動作を別の実体及び動作から区別するために使用されており、必ずしもこれらのエンティティ（entity）及び動作の間に実際に関係または順序があることを必要とするまたは意味するものではないこともまた留意されるべきである。さらに、「含む」、「構成する」、またはそれらの任意の他の変形は、非排他的な包含を含むことを意図し、その結果、要素のリストを含むプロセス、方法、物品、または装置は必ずしもそれらの要素に限定されるものではないが、明確に列挙されていない他の要素を含んでも良く、またはさらにそのようなプロセス、方法、物品または装置に固有の要素を含んでもよい。「〜を含む．．．」に続く要素は、それ以上の制約はなく、その要素を含むプロセス、方法、物品または装置において、追加的な均等の要素の存在を排除する。
【００７１】
本明細書で開示された実施形態において記載された方法またはアルゴリズムのステップは、直接ハードウェアや、プロセッサによって実行されるソフトウェアモジュールや、またはそれら２つの組合せによって実装されてもよい。ソフトウェアモジュールは、ランダムアクセスメモリ（ＲＡＭ）、メモリ、読み出し専用メモリ（ＲＯＭ）、電気的プログラマブルＲＯＭ、電気的消去可能プログラマブルＲＯＭ、レジスタ、ハードディスク、リムーバブル磁気ディスク、ＣＤ−ＲＯＭまたは当技術分野において周知の他の形の任意の記憶媒体に配置されることができる。
【００７２】
開示された実施形態の前述の説明によって、当業者が本発明を実施または使用することができる。複数の改良がこれらの実施形態になされ得ることは当業者には明らかである。本明細書に定義される一般原理は、本発明の思想または範囲から逸脱することなく他の実施形態で実施されることができる。従って、本発明は本明細書で記載されるこれらの実施形態に限定されるものではなく、本発明において開示されている原理及び新しい特徴と一致している最大の範囲で認められるものとする。
【符号の説明】
【００７３】
１０１  ＵＳＢ  ＯＴＧインタフェース
１０２  ＵＳＢインタフェース
１０３  ブースター電流制限回路
１０４  計測制御部
３０１  充電回路
３０２  第一制御スイッチ
３０３  第二制御スイッチ
３０４  エネルギー蓄積モジュール
１０３１  昇圧回路
【図１】
2015505401.tif 000003
【図２】
2015505401.tif 000004
【図３】
2015505401.tif 000005
【手続補正書】
【提出日】平成26年6月25日(2014.6.25)
【手続補正１】
【補正対象書類名】特許請求の範囲
【補正対象項目名】全文
【補正方法】変更
【補正の内容】
【特許請求の範囲】
【請求項１】
電流切替のための制御装置であって、
第一の装置に接続するように構成されるとともにＩＤ端子においてローレベルを有するＵＳＢ  ＯＴＧインタフェースと、
第二の装置に接続するように構成されるとともに前記ＩＤ端子においてハイレベルを有するＵＳＢインタフェースと、
前記ＵＳＢ  ＯＴＧインタフェースと前記ＵＳＢインタフェースの間に接続されたブースター電流制限回路であって、前記ブースター電流制限回路と、前記ＵＳＢ  ＯＴＧインタフェースと、前記ＵＳＢインタフェースは、前記第一の装置が前記第二の装置に電力を供給するためのラインを形成する、前記ブースター電流制限回路と、
前記ブースター電流制限回路に接続された計測制御部であって、前記計測制御部は電流切替要求が受信された場合に、前記ブースター電流制限回路における電流制限回路の抵抗値を変更するように構成され、その結果、前記第一の装置は前記第二の装置に対応する電流を供給する、前記計測制御部と
を有することを特徴とする電流切替のための制御装置。
【請求項２】
前記ブースター電流制限回路は昇圧回路と、抵抗器Ｒ１と、抵抗器Ｒ２とを含み、前記昇圧回路は前記抵抗器Ｒ１の第一の端部及び前記抵抗器Ｒ２の第一の端部にそれぞれ接続され、前記抵抗器Ｒ２の第二の端部は接地され、前記抵抗器Ｒ１の第二の端部はバスエクステンダのピンアウトＡに接続されていることを特徴とする請求項１に記載の装置。
【請求項３】
前記計測制御部は具体的に、前記第一の装置が前記第二の装置に第１の電流を供給するための要求を受信したときに、前記バスエクステンダの前記ピンアウトＡがハイレベルになるように制御するとともに、前記第一の装置が前記第二の装置に第２の電流を供給するための要求を受信したときは、前記バスエクステンダの前記ピンアウトＡがローレベルになるように制御するように構成されていることを特徴とする請求項２に記載の装置。
【請求項４】
前記計測制御部に接続され、物理キーが押下されたことを示す信号を受信した後、前記第一の装置が前記第二の装置に対応する電流を供給するための要求を生成するように構成された前記物理キーをさらに含むことを特徴とする請求項３に記載の装置。
【請求項５】
初期電流は前記第１の電流であるとともに、前記初期電流は、前記第一の装置が前記電流切替のための制御装置を使用して前記第二の装置に接続された後で、且つ前記計測制御部が電流切替要求を受信する前に、前記第一の装置によって前記第二の装置に供給される電流であることを特徴とする請求項３に記載の装置。
【請求項６】
前記計測制御部に接続され、前記電流切替のための制御装置の電力供給モードを表示するように構成された有機発光ダイオードディスプレイスクリーンをさらに含むことを特徴とする請求項１に記載の装置。
【請求項７】
電子装置であって、
充電回路及びブースター電流制限回路と、
前記充電回路と前記ブースター電流制限回路にそれぞれ接続されたエネルギー蓄積モジュールと、
第三の装置に接続するように構成されたＵＳＢ  ＯＴＧインタフェースと、
前記充電回路と前記ＵＳＢ  ＯＴＧインタフェースとの間に配置された第一制御スイッチであって、前記エネルギー蓄積モジュールと、前記充電回路と、前記第一制御スイッチと、前記ＵＳＢ  ＯＴＧインタフェースとが、電子装置に電力を供給するための外部電源用のラインを形成する、前記第一制御スイッチと、
前記ＵＳＢ  ＯＴＧインタフェースと前記ブースター電流制限回路との間に配置された第二制御スイッチであって、前記エネルギー蓄積モジュールと、前記ブースター電流制限回路と、前記第二制御スイッチと、前記ＵＳＢ  ＯＴＧインタフェースとが、前記第三の装置に電力を供給するための電子装置用のラインを形成する、前記第二制御スイッチと、
前記第一制御スイッチの制御端部と前記第二制御スイッチの制御端部とのそれぞれに接続された計測制御部であって、前記計測制御部は前記ブースター電流制限回路に接続されるとともに、前記計測制御部は前記ＵＳＢ  ＯＴＧインタフェースのＩＤ端子がローレベルであるか否かを検出するように構成され、そうである場合は、前記第一制御スイッチをオフに、前記第二制御スイッチをオンに制御するとともに、電流切替要求を受信した後に、前記ブースター電流制限回路における電流制御回路の抵抗値を変更し、その結果、電子装置は前記第三の装置に対応する電流を供給し、そうでない場合は、前記第一制御スイッチをオンに、且つ前記第二制御スイッチをオフに制御する、前記計測制御部と
を有することを特徴とする電子装置。
【請求項８】
前記ブースター電流制限回路は昇圧回路と、抵抗器Ｒ５と、抵抗器Ｒ６と、抵抗器Ｒ７とを含み、前記昇圧回路は前記抵抗器Ｒ５の第一の端部と、前記抵抗器Ｒ６の第一の端部と、前記抵抗器Ｒ７の第一の端部とにそれぞれ接続され、前記抵抗器Ｒ５の第二の端部は接地され、前記抵抗器Ｒ６の第二の端部はバスエクステンダのピンアウトＡに接続されているとともに、前記抵抗器Ｒ７の第二の端部は前記バスエクステンダのピンアウトＢに接続されていることを特徴とする請求項７に記載の装置。
【請求項９】
前記計測制御部は具体的に、前記電子装置が前記第三の装置に第７の電流を供給するための要求を受信したときに、前記バスエクステンダの前記ピンアウトＡ及び前記ピンアウトＢがどちらもハイレベルになるように制御し、前記電子装置が前記第三の装置と通信を行う必要があると検出したときは、前記バスエクステンダの前記ピンアウトＡがローレベルになるとともに前記ピンアウトＢがハイレベルになるように制御するか、または前記ピンアウトＡがハイレベルになるとともに前記ピンアウトＢがローレベルになるように制御し、前記電子装置が前記第三の装置に第９の電流を供給するための要求を検出したときは、前記バスエクステンダの前記ピンアウトＡ及び前記ピンアウトＢのどちらもローレベルになるように制御するように構成されていることを特徴とする請求項８に記載の装置。
【請求項１０】
前記計測制御部に接続され、物理キーが押下されたことを示す信号を受信した後、前記電子装置が前記第三の装置に対応する電流を供給するための要求を生成するように構成された前記物理キーをさらに含むことを特徴とする請求項７に記載の装置。
【手続補正２】
【補正対象書類名】明細書
【補正対象項目名】全文
【補正方法】変更
【補正の内容】
【発明の詳細な説明】
【技術分野】
【０００１】
本出願は、２０１２年５月２８日に中国特許庁に出願され、発明の名称を「電流切替のための制御装置及び電子装置」とする、中国特許出願第201210168980.7の優先権を主張し、その全体が参照によって本明細書に組み込まれる。
【０００２】
本発明は電子技術及び電気技術の分野に関し、特に、電流切替のための制御装置および電子装置に関する。
【背景技術】
【０００３】
モバイル端末の普及に伴い、コンピュータを使用せずに電子装置間の直接のデータ交換を実装するという目的を達成するために、OTG（on-the-go）プロトコルが時勢の要求とともに出現した。この技術によって、二つの電子装置は直接通信することができるようになった。例えば、デジタルカメラは写真を即時に印刷するためにプリンタのUSBインタフェースに接続されてもよい。
【０００４】
ＯＴＧプロトコルをサポートする電子装置は、一般的に、ＵＳＢ  ＯＴＧインタフェースと、放電回路と、充電回路とを含む。放電回路は電子装置の外部装置（例えば、Ｗｉ−Ｆｉ、無線周波数等）に電力を供給してもよく、充電回路はＯＴＧプロトコルをサポートする電子装置自体を充電するために使用される。具体的には、電源が電子装置を充電するとき、電源は、充電回路によって電圧のステップダウンが実行された後、ＯＴＧプロトコルをサポートする電子装置に電力を供給する。
【０００５】
ＯＴＧプロトコルをサポートする電子装置は二つのタイプで利用可能である。電子装置の第一のタイプの放電回路は、コアTPS61240/FAN4860のような専用の出力チップを有するとともに、電子装置の第二のタイプの昇圧回路は、チップを使用して構成されるＢＯＯＳＴ昇圧回路である。
【発明の概要】
【発明が解決しようとする課題】
【０００６】
第一のタイプの電子装置と第二のタイプの電子装置が異なるチップを有し、二つのタイプの装置に異なる電力供給モードを持たせるため、本発明者は、従来技術におけるこれらの二つのタイプの装置は少なくとも以下の欠点を持つことを見い出した。すなわち、第一のタイプの装置によって電力を供給された電子装置は第二のタイプの電子装置によって電力を供給されることができない、という欠点である。
【０００７】
要約すると、従来技術におけるＯＴＧプロトコルをサポートする電子装置は、普遍性が貧弱であるという欠点を有するとともに、様々な電子製品の要求を満たすことができない。
【課題を解決するための手段】
【０００８】
この点を考慮して、本発明では、従来技術におけるＯＴＧプロトコルをサポートする電子装置の貧弱な普遍性という問題に対処するために、電流切替のための制御装置及び電子装置を提供する。
【０００９】
上記の目的を達成するために、本発明は、以下の技術的解決策を提供する。
【００１０】
前記電流切替のための制御装置は、
第一の装置に接続するように構成されるとともにＩＤ端子においてローレベルを有するＵＳＢ  ＯＴＧインタフェースと、
第二の装置に接続するように構成されるとともにＩＤ端子においてハイレベルを有するＵＳＢインタフェースと、
ＵＳＢ  ＯＴＧインタフェースとＵＳＢインタフェースの間に接続されたブースター電流制限回路であって、該ブースター電流制限回路と、ＵＳＢ  ＯＴＧインタフェースと、ＵＳＢインタフェースは、第一の装置が第二の装置に電力を供給するためのラインを形成する、ブースター電流制限回路と、
ブースター電流制限回路に接続された計測制御部であって、該計測制御部は電流切替要求が受信された場合に、ブースター電流制限回路における電流制限回路の抵抗値を変更するように構成され、その結果、第一の装置は第二の装置に対応する電流を供給する、計測制御部と
を有する。
【００１１】
前記電子装置は、
充電回路及びブースター電流制限回路と、
充電回路とブースター電流制限回路にそれぞれ接続されたエネルギー蓄積モジュールと、
第三の装置に接続するように構成されたＵＳＢ  ＯＴＧインタフェースと、
充電回路とＵＳＢ  ＯＴＧインタフェースとの間に配置された第一制御スイッチであって、エネルギー蓄積モジュールと、充電回路と、第一制御スイッチと、ＵＳＢ  ＯＴＧインタフェース１０１とが、電子装置に電力を供給するための外部電源用のラインを形成する、第一制御スイッチと、
ＵＳＢ  ＯＴＧインタフェースとブースター電流制限回路との間に配置された第二制御スイッチであって、エネルギー蓄積モジュールと、ブースター電流制限回路と、第二制御スイッチと、ＵＳＢ  ＯＴＧインタフェースとが、第三の装置に電力を供給するための電子装置用のラインを形成する、第二制御スイッチと、
第一制御スイッチの制御端部と第二制御スイッチの制御端部とのそれぞれに接続された計測制御部であって、該計測制御部はブースター電流制限回路に接続されているとともに、計測制御部はＵＳＢ  ＯＴＧインタフェースのＩＤ端子がローレベルであるか否かを検出するように構成され、そうである場合は、第一制御スイッチをオフに、第二制御スイッチをオンに制御するとともに、電流切替要求を受信した後に、ブースター電流制限回路における電流制御回路の抵抗値を変更し、その結果、電子装置は第三の装置に対応する電流を供給し、そうでない場合は、第一制御スイッチをオンに、且つ第二制御スイッチをオフに制御する、計測制御部と
を有する。
【００１２】
前述の技術的解決策から、本発明の態様において開示されている電流切替のための制御装置が使用されるとき、ブースター電流制限回路と、ＵＳＢ  ＯＴＧインタフェースと、ＵＳＢインタフェースとが、第一の装置が第二の装置に電力を供給するためのラインを形成するとともに、計測制御部が、電流切替要求を受信した後、ブースター電流制限回路の電流制限抵抗値を変更し、それによって電流切替のための制御装置を使用して、第一の装置によって第二の装置に複数の電流を供給するという目的を達成し得るということがわかる。換言すると、電流切替のための制御装置は異なる電流値の下で動作する電子装置に接続されてもよく、それによって電流切替のための制御装置の普遍性を向上させる。
【図面の簡単な説明】
【００１３】
本発明の態様における技術的解決策をより明確に説明するために、以下では本発明の態様を説明するために必要となる添付図面を簡潔に紹介する。以下の説明における添付図面は単に本発明のいくつかの態様を示すものであって、当業者は創作的な努力なくして、これらの添付図面から他の図面を導き出すことができることは明らかである。
【００１４】
【図１】本発明の実施形態に係る電流切替のための制御装置の第一のタイプの概略構成図である。
【図２】本発明の実施形態に係るブースター電流制限回路の回路図である。
【図３】本発明の実施形態に係る電流切替のための制御装置の第二のタイプの概略構成図である。
【発明を実施するための形態】
【００１５】
以下では、本発明の実施形態における添付図面を参照して、本発明の実施形態における技術的解決策を明瞭にかつ十分に説明する。説明される実施形態は本発明の実施形態のすべてではなく単なる一部分であることは明らかである。創作的な努力なくして本発明の実施形態に基づいて当業者によって得られる他のすべての実施形態は、本発明の保護範囲に含まれるべきである。
【００１６】
従来技術において、二つの非コンピュータ装置（二つの非コンピュータ装置はいずれもＯＴＧプロトコルをサポートしている）が接続されているとき、例えば、デジタルカメラとプリンタが接続されているとき、デジタルカメラとプリンタが接続される前に、プリンタとデジタルカメラのどちらのＵＳＢインタフェースもスレーブデバイスモードになるように構成されている。プリンタのＵＳＢインタフェースがＯＴＧプロトコルをサポートするケーブルのＵＳＢ  ＯＴＧポートに接続され、且つ、デジタルカメラのＵＳＢインタフェースがケーブルの一般的なＵＳＢインタフェース（非ＵＳＢ  ＯＴＧ  インタフェース）に接続されているとすれば、プリンタはケーブルのＵＳＢ  ＯＴＧインタフェースのＩＤ端子がローレベルか否かを検出する。ＩＤ端子がローレベルである場合、プリンタはスレーブデバイスモードからマスタデバイスモードに切り替わる。一方で、プリンタはデジタルカメラへの電力の供給を開始する。この場合、デジタルカメラは、スレーブデバイスモードである。プリンタとデジタルカメラの電力供給ラインが確立された後、デジタルカメラとプリンタのマスタモードとスレーブモードは切り替えられることができる。デジタルカメラがプリンタにデータを転送する必要がある場合、デジタルカメラはスレーブデバイスモードからマスタデバイスモードに切り替わる。これに対応して、プリンタは、マスタデバイスモードからスレーブデバイスモードに切り替わる。しかしながら、電力供給は、常に、プリンタからデジタルカメラに対して行われる。デジタルカメラがプリンタに電力を供給する必要がある場合は、デジタルカメラのＵＳＢ  ＯＴＧインタフェースがケーブルのＵＳＢ  ＯＴＧポートに接続される必要があり、且つ、プリンタはケーブルの一般的なＵＳＢインタフェースに接続される必要がある。ケーブルのＵＳＢ  ＯＴＧインタフェースに接続されている装置のみが電力を供給する側として使用されることができるため、電力を供給する必要がある装置はケーブルのＵＳＢ  ＯＴＧインタフェースに接続される必要がある。プリンタが、ＵＳＢ  ＯＴＧインタフェースのＩＤ端子がハイレベルであることを検出した場合には、プリンタはケーブルを使用してコンピュータに接続するスレーブデバイスとしてのみ使用されることができ、ケーブルを使用して別の装置に電力を供給することはできない。
【００１７】
ＯＴＧをサポートする装置による、同等の装置への電力供給は放電回路を使用して実装される。放電回路はブースター電流制限回路を含み、ブースター電流制限回路は昇圧回路及び電流制限回路を含み、昇圧回路は電子装置自体のバッテリー電圧（3.4vから4.2v）を5vまで上昇させるとともに、電流制限回路は、電子装置の均等出力抵抗回路であって、且つ電子装置による電流の出力を特定の範囲内になるように制限するために使用される。従来技術においては、ＯＴＧ  プロトコルをサポートする装置における電流制限回路の抵抗値が一定であるため、ＯＴＧ  プロトコルをサポートする装置は一つの電流のみを供給することができる。
【実施例１】
【００１８】
図１は、本発明の実施例１において開示されている電流切替のための第一の制御装置の概略構成図である。図１を参照すると、前記電流切替のための制御装置はＵＳＢ  ＯＴＧインタフェース１０１と、ＵＳＢインタフェース１０２と、ブースター電流制限回路１０３と、計測制御部１０４と、を含む。
【００１９】
接続関係は以下のようになっている。
【００２０】
前記ＵＳＢ  ＯＴＧインタフェース１０１は第一の装置に接続され、ＵＳＢ  ＯＴＧインタフェース１０１のＩＤ端子はローレベルである。ＵＳＢインタフェース１０２（非ＵＳＢ  ＯＴＧインタフェース）は第二の装置に接続され、ＵＳＢインタフェース１０２のＩＤ端子はハイレベルである。ブースター電流制限回路１０３はＵＳＢ  ＯＴＧインタフェース１０１とＵＳＢインタフェース１０２の間に接続され、ブースター電流制限回路１０３と、ＵＳＢ  ＯＴＧインタフェース１０１と、ＵＳＢインタフェース１０２は第一の装置が第二の装置に電力を供給するためのラインを形成している。計測制御部１０４は、ブースター電流制限回路１０３に接続されている。
【００２１】
ユニバーサルＵＳＢインタフェース（ＵＳＢ  ＯＴＧインタフェース１０１及びＵＳＢインタフェース１０２を含む）は、Ｖｂｕｓ端子と、Ｄ−端子と、Ｄ＋端子と、ＧＮＤ端子と、ＩＤ端子と、を有する。
【００２２】
具体的な接続関係は以下のようになっている。ブースター電流制限回路１０３の昇圧回路はＵＳＢ  ＯＴＧインタフェース１０１のＶｂｕｓ端子とＵＳＢインタフェース１０２のＶｂｕｓ端子のそれぞれに接続されている。計測制御部１０４はＵＳＢ  ＯＴＧインタフェース１０１のＩＤ端子とＵＳＢインタフェース１０２のＩＤ端子のそれぞれに接続され、計測制御部１０４はＵＳＢ  ＯＴＧインタフェース１０１のＩＤ端子のレベルがローレベルになるように制御するとともに、ＵＳＢインタフェース１０２のＩＤ端子のレベルがハイレベルになるように制御する。また、ＵＳＢ  ＯＴＧインタフェース１０１のＩＤ端子及びＵＳＢインタフェース１０２のＩＤ端子は計測制御部１０４に接続されていなくてもよいことはもちろんである。ＵＳＢ  ＯＴＧインタフェース１０１におけるＩＤ端子が接地されているとともに、ＵＳＢインタフェース１０２のＩＤ端子がフローティングされていて、また、それによって、ＵＳＢ  ＯＴＧインタフェース１０１のＩＤ端子のレベルはローレベルであって、且つＵＳＢインタフェース１０２のＩＤ端子のレベルがハイレベルであるという目的を達成することができる。
【００２３】
前記第一の装置は電流切替のための制御装置のＵＳＢ  ＯＴＧインタフェース１０１に接続されているため、第一の装置は第二の装置に電力を供給する。その点で、第一の装置にはブースター電流制限回路がないため、第一の装置によってＵＳＢ  ＯＴＧインタフェース１０１のＶｂｕｓ端子に供給される電流の値は予め設定された電流の値よりも小さい。従って、第一の装置と第二の装置は電流切替のための制御装置を使用して通信を行うことはできず、予め設定された電流の値は、電流切替のための制御装置を使用して、第一の装置が第二の装置と通信を行うために、ＵＳＢ  ＯＴＧインタフェース１０１のＶｂｕｓ端子に供給された電流の最小値を参照する。
【００２４】
前記第一の装置と第二の装置は電流切替のための制御装置を使用して通信を行うことはできないため、ＵＳＢ  ＯＴＧインタフェース１０１のＤ−端子と、ＵＳＢインタフェース１０２のＤ−端子と、ＵＳＢ  ＯＴＧインタフェース１０１のＤ＋端子と、ＵＳＢインタフェース１０２のＤ＋端子は、フローティングされるか、またはＵＳＢ  ＯＴＧインタフェース１０１のＤ−端子はＵＳＢインタフェース１０２のＤ−端子に接続されるとともに、ＵＳＢ  ＯＴＧインタフェース１０１のＤ＋端子はＵＳＢインタフェース１０２のＤ＋端子に接続される。
【００２５】
前記計測制御部１０４は同様の機能を持つ回路または同様の機能を持つチップであってもよい。
【００２６】
前記計測制御部１０４の動作プロセスは以下のようになっている。
【００２７】
前記計測制御部１０４は電流切替要求が受信された場合に、ブースター電流制限回路１０３における電流制限回路の抵抗値を変更するように構成されていて、その結果、第一の装置は第二の装置に対応する電流を供給する。
【００２８】
具体的には、計測制御部１０４は、バスエクステンダを使用して、ブースター電流制限回路１０３における電流制限回路に接続されているとともに、計測制御部１０４は、バスエクステンダの端子状態を制御することによってブースター電流制限回路１０３における電流制限回路の抵抗値を変更することができる。
【００２９】
また、もちろん、計測制御部１０４は、汎用入力／出力インタフェースＧＰＩＯを使用して、ブースター電流制限回路１０３における電流制限回路に接続されてもよいとともに、計測制御部１０４は、汎用入力／出力インタフェースＧＰＩＯの端子状態を制御することによってブースター電流制限回路１０３における電流制限回路の抵抗値を変更してもよい。
【００３０】
以下では、バスエクステンダと、汎用入力／出力インタフェースＧＰＩＯと、同様の機能を持つ装置を総称して多目的インタフェースと呼ぶこととする。
【００３１】
本発明の実施例におけるブースター電流制限回路１０３は、複数の特定の実装方法があり得る。例えば、ブースター電流制限回路１０３は昇圧回路と、抵抗器Ｒ１と、抵抗器Ｒ２を含んでもよく、昇圧回路は抵抗器Ｒ１の第一の端部と抵抗器Ｒ２の第一の端部にそれぞれ接続され、抵抗器Ｒ２の第二の端部は接地されるとともに、抵抗器Ｒ１の第二の端部は多目的インタフェースのピンアウトＡに接続されている。抵抗器Ｒ１と抵抗器Ｒ２は電流制限回路を形成する。
【００３２】
上述のブースター電流制限回路１０３の構造に基づいて、計測制御部１０４が、多目的インタフェースの端子状態を制御することによってブースター電流制限回路１０３における電流制限回路の抵抗値を変更するプロセスは以下のようになる。
【００３３】
前記計測制御部１０４が、第一の装置が第二の装置に第１の電流を供給するように要求を受信するとき、計測制御部１０４は多目的インタフェースのピンアウトＡがハイレベルになるように制御するとともに、第一の装置が第二の装置に第２の電流を供給するように要求を受信するときは、多目的インタフェースのピンアウトＡがローレベルになるように制御する。
【００３４】
前記多目的インタフェースのピンアウトＡがローレベルのとき、抵抗器Ｒ１及び抵抗器Ｒ２は、並行にあるとともに、ブースター電流制限回路１０３の電流制限回路の抵抗値は小さくなる。この場合、第一の装置は、第二の装置に多量の電流、すなわち第２の電流を供給する。多目的インタフェースのピンアウトＡがハイレベルのとき、抵抗器Ｒ１はブースター電流制限回路１０３の電流制限回路に接続されていない。この場合、ブースター電流制限回路１０３の抵抗値は大きくなり、その結果、第一の装置は第二の装置に少量の電流、すなわち、第１の電流を供給する。
【００３５】
実際の応用においては、電流切替のための制御装置を使用して第一の装置が第二の装置に接続された後で、且つ電流切替要求が受信される前に、第一の装置は第二の装置に電力の供給を開始している。第一の装置によって第二の装置に供給される電流はこの場合、初期電流と呼ばれる。初期電流が第二の装置の最大定格電流よりも小さくなることを確実にするために、好ましくは、電流切替のための制御装置を使用して、第一の装置から第二の装置に供給される初期電流は、第１の電流である。つまり、計測制御部１０４は多目的インタフェースのピンアウトＡがハイレベルになるように制御する。それゆえに、電流切替のための制御装置を使用して、第一の装置から第二の装置に供給される電流は小さく、すなわち第１の電流である。第１の電流が第二の装置の要求を満たすことができない場合、電流切替のための制御装置は電流切替要求に応じて電流切替を行う。
【００３６】
電流切替要求は要求に応じて、手動で決定される。具体的なプロセスは以下のようになる。
【００３７】
前記電流切替のための制御装置は、物理キーを含んでもよく、物理キーは、計測制御部１０４に接続されるとともに、計測制御部１０４は、物理キーが押下されたことを示す信号を受信した後、ブースター電流制限回路１０３における電流制限回路の抵抗値を変更し、その結果、第一の装置は第二の装置に対応する電流を供給する。
【００３８】
具体的には、計測制御部１０４は、物理キーが予め設定された時間内に押下された回数を検出する。回数が１の場合は、第一の装置が第二の装置に第１の電流を供給するために、計測制御部１０４はブースター電流制限回路１０３の電流制限回路の抵抗値を制御し、２回の場合は、第一の装置が第二の装置に第２の電流を供給するために、計測制御部１０４はブースター電流制限回路１０３の電流制限回路の抵抗値を制御する。
【００３９】
前記第一の装置が、電流切替のための制御装置を使用して、第二の装置にＮ個の電流を供給できる場合、且つ物理キーが予め設定された時間内にＮ回押下された場合、計測制御部１０４は、ブースター電流制限回路１０３における電流制限回路の抵抗値を制御し、その結果、第一の装置は第二の装置に、第Ｎの電流を供給する。ここで、Ｎは２以上の正の整数である。
【００４０】
前記電流切替のための制御装置の内側に配置されるとともに、電流切替要求を生成することができるのは、必ずしも物理キーではなくトグルスイッチであってもよく、トグルスイッチは計測制御部１０４に接続される。計測制御部１０４は、トグルスイッチの位置が上から下へまたは左から右へ変化したことを示す信号を受信した後、ブースター電流制限回路１０３の抵抗値を制御し、その結果、第一の装置は第二の装置に対応する電流を供給する。
【００４１】
具体的には、トグルスイッチが上から下へ位置を変更したとき、計測制御部１０４は第一の装置が第二の装置へ第１の電流を供給するための要求を生成する。トグルスイッチが上から下へ位置を変更した後、計測制御部１０４は多目的インタフェースのピンアウトＡがハイレベルになるように制御する。この場合、ブースター電流制限回路１０３の抵抗値が大きくなるため、第一の装置は少量の電流、すなわち、第１の電流を第二の装置へ供給する。トグルスイッチが左から右へ位置を変更した後、計測制御部１０４は、第一の装置が第二の装置へ第２の電流を供給するための要求を生成する。この場合、計測制御部１０４は、多目的インタフェースのピンアウトＡがローレベルになるように制御する。この場合、ブースター電流制限回路１０３の抵抗値が小さくなるため、第一の装置は多量の電流、すなわち、第２の電流を第二の装置へ供給する。好ましくは、第２の電流は、第二の装置が正常に動作することを可能にし、第二の装置内のバッテリを充電することができる。
【００４２】
前記電流切替のための制御装置はさらにタッチスクリーンを含んでもよく、タッチスクリーンは計測制御部１０４に接続されている。タッチスクリーンは、ユーザが選択できる複数の選択肢を持ち（例えば、第１の電流を第一の装置によって第二の装置に供給する）、異なる選択が異なるコマンドをトリガーするとともに、計測制御部１０４は対応するコマンドに従って対応する動作を実行することができる。
【００４３】
上述の実施例において、第一の装置は、電流切替のための制御装置を使用して、第二の装置に二つの電流を供給することができる。第一の装置が、電流切替のための制御装置を使用して、３個以上の電流を第二の装置に供給することを要求される場合、必要とされることはブースター電流制限回路１０３における電流制限回路を修正することだけである。
【００４４】
例えば、第一の装置が電流切替のための制御装置を使用して、３個の電流を第二の装置に供給することができる場合には、図２で示されるように、ブースター電流制限回路１０３は昇圧回路１０３１と、抵抗器Ｒ５と、抵抗器Ｒ６と、抵抗器Ｒ７とを含んでもよく、昇圧回路１０３１は、抵抗器Ｒ５の第一の端部と、抵抗器Ｒ６の第一の端部と、抵抗器Ｒ７の第一の端部のそれぞれに接続され、抵抗器Ｒ５の第二の端部は接地され、抵抗器Ｒ６の第二の端部は多目的インタフェースのピンアウトＡに接続され、抵抗器Ｒ７の第二の端部は多目的インタフェースのピンアウトＢに接続されている。この場合、第一の装置は、電流切替のための制御装置を使用して、第二の装置に異なる三つの電流を供給することができる。具体的には、第二の装置が少量の電流を必要とするとき、計測制御部１０４は多目的インタフェースのピンアウトＡとピンアウトＢがどちらもハイレベルになるように制御する。第二の装置が中位の電流を必要とするとき、計測制御部１０４は多目的インタフェースのピンアウトＡをローレベルになるように制御するとともに、ピンアウトＢがハイレベルになるように制御する。または計測制御部１０４は多目的インタフェースのピンアウトＡがハイレベルになるように制御するとともに、ピンアウトＢがローレベルになるように制御する。第二の装置が多量の電流を必要とするときは、計測制御部１０４は、多目的インタフェースのピンアウトＡ及びピンアウトＢのどちらもローレベルになるように制御する。抵抗器Ｒ５と、抵抗器Ｒ６と、抵抗器Ｒ７は電流制限回路を形成する。
【００４５】
前記第一の装置は電流切替のための制御装置を使用して、ブースター電流制限回路１０３における電流制限回路を形成する抵抗器の数と同じ数の電流を第二の装置に供給することができ、このことは、本発明の実装には影響を与えない。したがって、ブースター電流制限回路１０３における電流制限回路の構成に具体的な制限は設定されていない。
【００４６】
前記電流切替のための制御装置はさらに有機発光ダイオードディスプレイスクリーンを含んでもよく、有機発光ダイオードディスプレイスクリーンは、計測制御部１０４に接続されているとともに、電流切替のための制御装置の電力供給モードを表示するように構成されている。
【００４７】
具体的には、計測制御部１０４は、第一の装置が第二の装置に第１の電流を供給するための要求を受信した後、有機発光ダイオードディスプレイスクリーンが「第一電力供給モード」と表示するように制御する。計測制御部１０４が、第一の装置が第二の装置に電力を供給するための要求を受信しない場合、計測制御部１０４は有機発光ダイオードディスプレイスクリーンが「第二電力供給モード」と表示するように制御する。第一の装置が電流切替のための制御装置を使用して、第二の装置にＮ個の電流を供給できる場合は、電流切替のための制御装置の電力供給モードはＮ個の電力供給モードがある。ここで、Ｎは２以上の正の整数である。
【００４８】
本発明の実施例において開示されている電流切替のための制御装置が使用されるとき、ブースター電流制限回路１０３と、ＵＳＢ  ＯＴＧインタフェース１０１と、ＵＳＢインタフェース１０２は、第一の装置が第二の装置に電力を供給するためのラインを形成するとともに、計測制御回路１０４は電流切替要求を受信した後、ブースター電流制限回路１０３における電流制御回路の抵抗値を変更し、電流切替のための制御装置を使用して、第一の装置によって第二の装置に複数の電流を供給するという目的を達成する。換言すると、第一の装置は、電流切替のための制御装置を使用して、異なる電流値の下で動作する電子装置に接続されてもよく、それによって電子装置の普遍性を向上させる。
【実施例２】
【００４９】
図３は、本発明の実施例によって提供される電子装置の概略構成図である。図３を参照すると、前記電子装置は（前記電子装置を他の電子装置から区別するために、前記電子装置を電子装置Ａと呼ぶこととする）、ＵＳＢ  ＯＴＧインタフェース１０１と、ブースター電流制限回路１０３と、計測制御部１０４と、充電回路３０１と、第一制御スイッチ３０２と、第二制御スイッチ３０３と、エネルギー蓄積モジュール３０４と、を有する。
【００５０】
接続関係は以下のようになっている。
【００５１】
前記ＵＳＢ  ＯＴＧインタフェース１０１は、第三の装置に接続されている。計測制御部１０４は、ＵＳＢ  ＯＴＧインタフェース１０１及びブースター電流制限回路１０３にそれぞれ接続されている。第一制御スイッチ３０２は充電回路３０１とＵＳＢ  ＯＴＧインタフェース１０１との間に配置されている。充電回路３０１はエネルギー蓄積モジュール３０４に接続されている。エネルギー蓄積モジュール３０４と、充電回路３０１と、第一制御スイッチ３０２と、ＵＳＢ  ＯＴＧインタフェース１０１は、電子装置Ａに電力を供給する外部電源のためのラインを形成する。第二制御スイッチ３０３はブースター電流制限回路１０３とＵＳＢ  ＯＴＧインタフェース１０１との間に配置されているとともに、ブースター電流制限回路１０３はエネルギー蓄積モジュール３０４に接続されている。エネルギー蓄積モジュール３０４と、ブースター電流制限回路１０３と、第二制御スイッチ３０３と、ＵＳＢ  ＯＴＧインタフェース１０１は、電子装置Ａが第三の装置へ電力を供給するためのラインを形成する。計測制御部１０４は、第一制御スイッチ３０２の制御端部と第二制御スイッチ３０３の制御端部にそれぞれ接続されている。
【００５２】
前記エネルギー蓄積モジュール３０４は電池であってもよい。
【００５３】
前記ＵＳＢ  ＯＴＧインタフェース１０１の端子とそれぞれの回路との接続関係は、具体的には以下のようになっている。ＵＳＢ  ＯＴＧインタフェース１０１のＶｂｕｓ端子は第一制御スイッチ３０２の一端部と第二制御スイッチ３０３の一端部にそれぞれ接続されている。ＵＳＢ  ＯＴＧインタフェース１０１のＩＤ端子は計測制御部１０４に接続されている。ＵＳＢ  ＯＴＧインタフェース１０１のＤ＋端子とＤ−端子は電子装置ＡにおけるＵＳＢのエニュメレーションモジュールに接続されている。
【００５４】
前記計測制御部１０４の動作プロセスは以下のようになっている。
【００５５】
前記計測制御部１０４は、ＵＳＢ  ＯＴＧインタフェース１０１のＩＤ端子がローレベルか否かを検出するように構成されている。そうである場合は、第一制御スイッチ３０２はオフに、且つ第二制御スイッチ３０３はオンになるように制御するとともに、そうでない場合は、第一制御スイッチ３０２をオンに、且つ第二制御スイッチ３０３をオフになるように制御する。
【００５６】
前記ＵＳＢ  ＯＴＧインタフェース１０１のＩＤ端子がローレベルであれば、電子装置Ａはスレーブデバイスモードからマスタデバイスモードへ切り替えるとともに、ブースター電流制限回路１０３を使用して、エネルギー蓄積モジュール３０４における電子エネルギーを第三の装置に供給する。すなわち、電子装置Ａは第三の装置へ電流を供給する。第三の装置へ電力を供給するプロセスにおいて、計測制御部１０４が電流切替要求を受信するとき、計測制御部１０４はブースター電流制限回路１０３における電流制限回路の抵抗値を変更し、その結果、電子装置Ａは第三の装置へ対応する電流を供給する。計測制御部１０４がＵＳＢ  ＯＴＧインタフェース１０１のＩＤ端子がハイレベルであることを検出する場合、電子装置Ａはコンピュータから情報をダウンロードするための、またはコンピュータにその情報を転送するためのコンピュータ機能を有する装置にのみ接続されることができる。電子装置Ａがコンピュータに接続された後、そのコンピュータのみが電子装置Ａに電流を供給できるとともに、電子装置Ａは常にスレーブデバイスモードになっている。電子装置Ａは外部装置に電力を供給する必要がないため、第二制御スイッチ３０３はオフになるとともに、コンピュータは電子装置Ａに電流を供給し、且つ電子装置Ａにおけるエネルギー蓄積モジュール３０４を充電するため、第一制御スイッチ３０２はオンになる。
【００５７】
本実施例２と実施例１との違いは、本発明の本実施例２における電子装置Ａはブースター電流制限回路１０３を有するため、ＵＳＢ  ＯＴＧインタフェース１０１のＶｂｕｓ端子に供給される電流の値は、予め設定された電流の値に到達する可能性があり、それによって電子装置Ａが第三の装置と通信できるように条件を満たし、その結果、電子装置Ａと第三の装置は通信ができる、ということにある。
【００５８】
前記ブースター電流制限回路１０３は昇圧回路と、抵抗器Ｒ１と、抵抗器Ｒ２と、を含んでもよく、昇圧回路は抵抗器Ｒ１の第一の端部と抵抗器Ｒ２の第一の端部とにそれぞれ接続され、抵抗器Ｒ２の第二の端部は接地されるとともに、抵抗器Ｒ１の第二の端部は多目的インタフェースのピンアウトＡに接続されている。抵抗器Ｒ１と抵抗器Ｒ２は電流制限回路を形成する。
【００５９】
前記ブースター電流制限回路１０３の構造に基づいて、多目的インタフェースの端子状態を制御することによって、ブースター電流制限回路１０３の抵抗値を変更するプロセスは以下のようになっている。
【００６０】
前記電子装置Ａが第三の装置に接続された後、計測制御部１０４は多目的インタフェースのピンアウトＡをハイレベルになるように制御し、その結果、電子装置Ａは第三の装置に第４の電流を供給する。電子装置Ａが第三の装置と通信を行う必要があることが検出された場合、計測制御部１０４は多目的インタフェースのピンアウトＡをローレベルになるように制御し、その結果、電子装置Ａは第三の装置に第５の電流を供給する。
【００６１】
前記多目的インタフェースのピンアウトＡがローレベルのとき、抵抗器Ｒ１と抵抗器Ｒ２は並列にあるとともに、ブースター電流制限回路１０３の電流制限回路の抵抗値は小さくなる。この場合、電子装置Ａは、第三の装置に多量の電流、すなわち第５の電流を供給する。多目的インタフェースのピンアウトＡがハイレベルのとき、抵抗器Ｒ１はブースター電流制限回路１０３の電流制限回路に接続されていない。この場合、ブースター電流制限回路１０３の抵抗値は大きくなり、その結果、電子装置Ａは少量の電流、すなわち第４の電流を第三の装置に供給する。
【００６２】
前記電子装置Ａは、ＵＳＢのエニュメレーション法を使用して、第三の装置が電子装置Ａと通信する必要があるか否かを検出可能であり、その動作は手動でトリガーされる必要はないため、第４の電流から第５の電流に切り替えるプロセスは、人間の介在を必要としない。具体的には、電子装置ＡにおけるＵＳＢのエニュメレーションモジュールは、電子装置Ａが第三の装置と通信する必要があるか否かを決定するために、ＵＳＢ  ＯＴＧインタフェース１０１のＤ＋端子及びＤ−端子を検出してもよい。これは、従来技術に属し、本明細書には記載されていない。
【００６３】
実際の応用においては、電子装置Ａが第三の装置に接続された後で、且つ電流切替コマンドが受信される前に、電子装置Ａは第三の装置に電力の供給を開始している。電子装置Ａによって第三の装置に供給される電流はこの場合、初期電流と呼ばれる。初期電流が第三の装置の最大定格電流よりも小さくなることを確実にするために、好ましくは、電子装置Ａによって第三の装置に供給される初期電流は、第４の電流となる。つまり、電子装置Ａのデフォルトの初期電流は第４の電流である。すなわち、計測制御部１０４は多目的インタフェースのピンアウトＡがハイレベルになるように制御する。
【００６４】
上述の実施例における電子装置Ａは第三の装置に二つの電流を供給することができる。電子装置Ａが３個以上の電流を第三の装置へ供給することを要求される場合、必要とされることはブースター電流制限回路１０３における電流制限回路を修正することだけである。
【００６５】
電子装置Ａが三つの電流を第三の装置に供給することができる例において、ブースター電流制限回路１０３はさらに、昇圧回路と、抵抗器Ｒ５と、抵抗器Ｒ６と、抵抗器Ｒ７とを含み、昇圧回路は抵抗器Ｒ５の第一の端部と、抵抗器Ｒ６の第一の端部と、抵抗器Ｒ７の第一の端部とにそれぞれ接続され、抵抗器Ｒ５の第二の端部は接地され、抵抗器Ｒ６の第二の端部は多目的インタフェースのピンアウトＡに接続され、抵抗器Ｒ７の第二の端部は多目的インタフェースのピンアウトＢに接続されている。
【００６６】
前記電子装置Ａが第三の装置に接続された後で、且つ電子装置Ａが電流切替コマンドを受信する前に、電子装置Ａは第三の装置に電流の供給を開始している。電子装置Ａによって供給される初期電流が第三の装置の最大定格電流よりも小さくなることを確実にするために、電子装置Ａによって第三の装置に供給される初期電流は、第７の電流である。すなわち、計測制御部１０４は多目的インタフェースのピンアウトＡ及びピンアウトＢのどちらもハイレベルになるように制御する。電子装置Ａが第三の装置と通信する必要がある場合、電子装置Ａ内の計測制御部１０４は、自動的に、バスエクステンダのピンアウトＡがローレベルになるように、且つピンアウトＢがハイレベルになるように制御し、またはピンアウトＡがハイレベルになるように、且つピンアウトＢがローレベルになるように制御する。従って、電子装置Ａは多量の電流、すなわち、第８の電流を第三の装置に供給する。電子装置は第三の装置と通信する必要はなく、且つ第７の電流が第三の装置の要求を満たすことができないとき、電子装置Ａが第三の装置に第９の電流を供給するために、手動の選択が行われる。計測制御部１０４は、第三の装置に第９の電流を供給するための要求を受信した後、多目的インタフェースのピンアウトＡ及びピンアウトＢのどちらもローレベルになるように制御する。もちろん、異なる実際の要求に応じて、電子装置Ａによって第三の装置に供給される初期電流はまた、第９の電流であってもよい。
【００６７】
電流切替要求は要求に応じて手動で決定され、具体的には実施例１における電流切替要求の生成のための方法と同じであり、ここでは繰り返し説明はしない。
【００６８】
本発明の実施例において、ブースター電流制限回路１０３と、ＵＳＢ  ＯＴＧインタフェース１０１と、ブースター電流制限回路１０３と、エネルギー蓄積モジュール３０４は、電子装置Ａが第三の装置に電力を供給するためのラインを形成するとともに、計測制御部１０４は、電流切替要求を受信した後、ブースター電流制限回路１０３における電流制限回路の抵抗値を変更し、電子装置Ａが第三の装置に複数の電流を供給するという目的を達成する。換言すると、電子装置Ａは異なる電流値の下で動作する電子装置に接続されてもよく、それによって電子装置Ａの普遍性を向上させる。
【００６９】
本明細書における各実施例は、進歩的な方法において記載されている。各実施例における説明の焦点は、別の実施例との相違点である。実施例の同一または類似の部分については、相互に参照をしてもよい。実施例において開示された装置は、該装置が実施例において開示されている方法に対応するため、簡単に説明されている。関連する部分については、方法の説明を参照してもよい。
【００７０】
本明細書において、第一及び第二などの関係語は、単にあるエンティティ（entity）及び動作を別の実体及び動作から区別するために使用されており、必ずしもこれらのエンティティ（entity）及び動作の間に実際に関係または順序があることを必要とするまたは意味するものではないこともまた留意されるべきである。さらに、「含む」、「構成する」、またはそれらの任意の他の変形は、非排他的な包含を含むことを意図し、その結果、要素のリストを含むプロセス、方法、物品、または装置は必ずしもそれらの要素に限定されるものではないが、明確に列挙されていない他の要素を含んでも良く、またはさらにそのようなプロセス、方法、物品または装置に固有の要素を含んでもよい。「〜を含む．．．」に続く要素は、それ以上の制約はなく、その要素を含むプロセス、方法、物品または装置において、追加的な均等の要素の存在を排除する。
【００７１】
本明細書で開示された実施形態において記載された方法またはアルゴリズムのステップは、直接ハードウェアや、プロセッサによって実行されるソフトウェアモジュールや、またはそれら２つの組合せによって実装されてもよい。ソフトウェアモジュールは、ランダムアクセスメモリ（ＲＡＭ）、メモリ、読み出し専用メモリ（ＲＯＭ）、電気的プログラマブルＲＯＭ、電気的消去可能プログラマブルＲＯＭ、レジスタ、ハードディスク、リムーバブル磁気ディスク、ＣＤ−ＲＯＭまたは当技術分野において周知の他の形の任意の記憶媒体に配置されることができる。
【００７２】
開示された実施形態の前述の説明によって、当業者が本発明を実施または使用することができる。複数の改良がこれらの実施形態になされ得ることは当業者には明らかである。本明細書に定義される一般原理は、本発明の思想または範囲から逸脱することなく他の実施形態で実施されることができる。従って、本発明は本明細書で記載されるこれらの実施形態に限定されるものではなく、本発明において開示されている原理及び新しい特徴と一致している最大の範囲で認められるものとする。
【符号の説明】
【００７３】
１０１  ＵＳＢ  ＯＴＧインタフェース
１０２  ＵＳＢインタフェース
１０３  ブースター電流制限回路
１０４  計測制御部
３０１  充電回路
３０２  第一制御スイッチ
３０３  第二制御スイッチ
３０４  エネルギー蓄積モジュール
１０３１  昇圧回路
【国際調査報告】
2015505401.tif 000006
2015505401.tif 000007
2015505401.tif 000008
2015505401.tif 000009
2015505401.tif 000010
2015505401.tif 000011